(57)【要約】【課題】スイッチが作動したことをもって扉がロックされたことが保証される筐体構造およびその筐体構造を備えた画像形成装置を提供する。【解決手段】本体筐体１１０が係止受部材２１および開閉スイッチ２２を備えるとともに、扉１４０が鉤部１２１と突出部１２２を有するフロント側係止部材１２を備え、フロント側係止部材１２が、扉１４０が閉じられる動作において、係止受部材２１に干渉して矢印Ｄの向きに回転した後にその干渉が外れると矢印Ｕの向きに回転して係止受部材２１に係止され、開閉スイッチ２２は、フロント側係止部材１２が係止受部材２１に係止される際のフロント側係止部材１２の矢印Ｕの向きへの回転により突出部１２２に押されて扉１４０が閉じられたことを検出する。【選択図】図９
2020034855.tif 000002
【特許請求の範囲】
【請求項１】
本体筐体と、該本体筐体に対し開閉し閉じられたときに該本体筐体に係止される開閉筐体とのうちのいずれか一方である第１筐体が、該開閉筐体が閉じられたときに該本体筐体と該開閉筐体とのうちのいずれか他方である第２筐体に係止する第１係止部を備え、
前記第２筐体が、前記第１係止部と干渉して第１の向きに回転し、該開閉筐体の閉じられる向きへのさらなる動きで該第１係止部との係止が外れ該第１の向きとは逆向きの第２の向きに回転して該第１係止部に係止される鉤部を有し該鉤部と一体に回転する第２係止部と、前記第２係止部を前記第２の向きに付勢する付勢部材とを備え、
前記第１筐体と前記第２係止部とのうちの一方が、前記開閉筐体が閉じられたことを検知するスイッチを備え、
前記第１筐体と前記第２係止部とのうちの、前記一方とは異なる他方が、前記開閉筐体が閉じられる動きにおける、前記鉤部が前記第２の向きに回転して該鉤部が該第１係止部に係止するときに前記スイッチに作用して該スイッチを切り換える切換部を備えたことを特徴とする筐体構造。
【請求項２】
前記本体筐体が前記第１筐体であり、前記開閉筐体が前記第２筐体であることを特徴とする請求項１に記載の筐体構造。
【請求項３】
前記開閉筐体が、前記本体筐体に閉じられた状態にあるときに指を掛けて力を加えることにより、前記鉤部を前記第１の向きに回転させて該鉤部と前記第１係止部との係止を外す操作部を備えたことを特徴とする請求項２に記載の筐体構造。
【請求項４】
前記本体筐体に前記スイッチが備えられ、前記第２係止部に前記切換部が備えられていることを特徴とする請求項１から３のうちのいずれか１項に記載の筐体構造。
【請求項５】
前記開閉筐体が、前記本体筐体に設けられている開口を開閉する扉であることを特徴とする請求項１から４のうちのいずれか１項に記載の筐体構造。
【請求項６】
前記扉が、該扉の下側が前記本体筐体にヒンジ接続され、該開閉筐体の上側が下方に向かって開く扉であることを特徴とする請求項５に記載の筐体構造。
【請求項７】
本体筐体と、該本体筐体に対し開閉し閉じられたときに該本体筐体に係止される開閉筐体とを備え、
前記本体筐体と前記開閉筐体とのうちのいずれか一方および他方のそれぞれが、第１係止部および第２係止部のそれぞれを備え、
前記第２係止部が、前記開閉筐体が閉じられる動作において、前記第１係止部に干渉して第１の向きに回転した後に該干渉が外れると逆向きに回転して該第１係止部に係止され、
前記第２係止部が前記第１係止部に係止される際の該第２の係止部の前記第２の向きへの回転により前記開閉筐体が閉じられたことを検知するスイッチを備えたことを特徴とする筐体構造。
【請求項８】
前記開閉筐体が、下側が前記本体筐体にヒンジ接続されて上側が下方に向かって開く、前記本体筐体に設けられている開口を開閉する扉であることを特徴とする請求項７に記載の筐体構造。
【請求項９】
用紙上に画像を形成する画像形成装置であって、請求項１から８のうちのいずれか１項に記載の筐体構造を有することを特徴とする画像形成装置。
【発明の詳細な説明】
【技術分野】
【０００１】
本発明は、筐体構造および画像形成装置に関する。
【背景技術】
【０００２】
例えば画像形成装置において、紙詰まりが発生したときに詰まった紙を取り出すための開口と、その開口を開閉する扉を備えるなど、様々な目的の開口および扉が備えられた装置が存在する。そのような装置の中には、開口を扉で閉じたときに扉がロックされ、かつ、扉が閉じられたことを検知するスイッチを備えた構造が知られている。この構造の場合、ロックされるより前の、扉がほぼ閉じた状態でスイッチが作動すると、装置は扉が閉じられたものと認識したにもかかわらず、その後扉が開いてしまうという事態が発生するおそれがある。
【０００３】
ここで、特許文献１には、機体内に配設されたスイッチと、その機体に対し開閉するドアに配設されたスイッチ作動レバーとを備え、スイッチ作動レバーをドアに対して回動可能に設け、ドアの開閉角度が所定角度以下となったときにスイッチ作動レバーとドアとの連動を開始させる手段を有するインターロックスイッチ装置が開示されている。
【０００４】
また、特許文献２には、２つの開閉センサによる２つの開閉カバーが閉じられたことの検出を同期させる技術が開示されている。
【先行技術文献】
【特許文献】
【０００５】
【特許文献１】特開平１１−２６１２５２号公報
【特許文献１】特開２００３−２６３０８２号公報
【発明の概要】
【発明が解決しようとする課題】
【０００６】
本発明は、スイッチが作動したことをもって開閉筐体（扉）がロックされたことが保証される筐体構造およびその筐体構造を備えた画像形成装置を提供することを目的とする。
【課題を解決するための手段】
【０００７】
請求項１は、
本体筐体と、該本体筐体に対し開閉し閉じられたときに該本体筐体に係止される開閉筐体とのうちのいずれか一方である第１筐体が、該開閉筐体が閉じられたときに該本体筐体と該開閉筐体とのうちのいずれか他方である第２筐体に係止する第１係止部を備え、
前記第２筐体が、前記第１係止部と干渉して第１の向きに回転し、該開閉筐体の閉じられる向きへのさらなる動きで該第１係止部との係止が外れ該第１の向きとは逆向きの第２の向きに回転して該第１係止部に係止される鉤部を有し該鉤部と一体に回転する第２係止部と、前記第２係止部を前記第２の向きに付勢する付勢部材とを備え、
前記第１筐体と前記第２係止部とのうちの一方が、前記開閉筐体が閉じられたことを検知するスイッチを備え、
前記第１筐体と前記第２係止部とのうちの、前記一方とは異なる他方が、前記開閉筐体が閉じられる動きにおける、前記鉤部が前記第２の向きに回転して該鉤部が該第１係止部に係止するときに前記スイッチに作用して該スイッチを切り換える切換部を備えたことを特徴とする筐体構造である。
【０００８】
請求項２は、前記本体筐体が前記第１筐体であり、前記開閉筐体が前記第２筐体であることを特徴とする請求項１に記載の筐体構造である。
【０００９】
請求項３は、前記開閉筐体が、前記本体筐体に閉じられた状態にあるときに指を掛けて力を加えることにより、前記鉤部を前記第１の向きに回転させて該鉤部と前記第１係止部との係止を外す操作部を備えたことを特徴とする請求項２に記載の筐体構造である。
【００１０】
請求項４は、前記本体筐体に前記スイッチが備えられ、前記第２係止部に前記切換部が備えられていることを特徴とする請求項１から３のうちのいずれか１項に記載の筐体構造である。
【００１１】
請求項５は、前記開閉筐体が、前記本体筐体に設けられている開口を開閉する扉であることを特徴とする請求項１から４のうちのいずれか１項に記載の筐体構造である。
【００１２】
請求項６は、前記扉が、該扉の下側が前記本体筐体にヒンジ接続され、該開閉筐体の上側が下方に向かって開く扉であることを特徴とする請求項５に記載の筐体構造である。
【００１３】
請求項７は、
本体筐体と、該本体筐体に対し開閉し閉じられたときに該本体筐体に係止される開閉筐体とを備え、
前記本体筐体と前記開閉筐体とのうちのいずれか一方および他方のそれぞれが、第１係止部および第２係止部のそれぞれを備え、
前記第２係止部が、前記開閉筐体が閉じられる動作において、前記第１係止部に干渉して第１の向きに回転した後に該干渉が外れると逆向きに回転して該第１係止部に係止され、
前記第２係止部が前記第１係止部に係止される際の該第２の係止部の前記第２の向きへの回転により前記開閉筐体が閉じられたことを検知するスイッチを備えたことを特徴とする筐体構造である。
【００１４】
請求項８は、前記開閉筐体が、下側が前記本体筐体にヒンジ接続されて上側が下方に向かって開く、前記本体筐体に設けられている開口を開閉する扉であることを特徴とする請求項７に記載の筐体構造である。
請求項９は、用紙上に画像を形成する画像形成装置であって、請求項１から８のうちのいずれか１項に記載の筐体構造を有することを特徴とする画像形成装置である。
【発明の効果】
【００１５】
請求項１，５および７の筐体構造、並びに請求項９の画像形成装置によれば、スイッチが作動したことをもって開閉筐体ないし扉がロックされたことが保証される。
【００１６】
請求項２の筐体構造によれば、鉤部を本体筐体に備えた場合と比べ、開閉筐体を開けることにより現れた本体筐体の開口に例えば手を入れて作業する際に、鉤部が邪魔にならずに済む。
【００１７】
請求項３の筐体構造によれば、開閉筐体を開こうとする操作でロックを外すことができる。
【００１８】
請求項４の筐体構造によれば、開閉筐体にスイッチを備えた場合と比べ、開閉筐体の開閉動作によるスイッチの振動が抑えられる。
【００１９】
請求項６および８の筐体構造によれば、ロックされていない場合に開閉筐体ないし扉が開きやすく、したがって本発明が有効に機能する。
【図面の簡単な説明】
【００２０】
【図１】複合機の外観を示した模式図である。
【図２】ロック部材の斜視図である。
【図３】フロント側係止部材、係止受部材、および開閉スイッチを示した斜視図である。
【図４】フロント側係止部材、係止受部材、および開閉スイッチを示した側面図である。
【図５】扉が開いている状態を示した図である。
【図６】図５と比べ扉が閉じる向きに移動した状態を示した図である。
【図７】図６と比べ扉が閉じる向きに移動した状態を示した図である。
【図８】図７と比べ扉が閉じる向きに移動した状態を示した図である。
【図９】図８と比べ扉が閉じる向きに移動した状態を示した図である。
【図１０】扉が閉じた状態を示した図である。
【図１１】ロック解除部材の断面図である。
【発明を実施するための形態】
【００２１】
以下、本発明の実施の形態について説明する。
【００２２】
図１は、複合機の外観を示した模式図である。この複合機１００は、本発明の画像形成装置の一例に相当する。また、この複合機１００は、本発明の一実施形態としての筐体構造を備えている。
【００２３】
この複合機１００は、プリンタとしての機能、コピー機としての機能、スキャナとしての機能、ファックスの送受信機能、スキャナで読み取って得た画像データを添付ファイルとしてＥメールで送信する機能など、複合的な様々な機能を有する装置である。
【００２４】
この複合機１００には、本体筐体１１０に対し引出し自在な、上下２段の用紙トレイ１２０が備えられている。これらの用紙トレイ１２０内には、積み重ねられた状態の用紙が収容される。プリント出力にあたっては、いずれかの用紙トレイ１２０内の用紙が１枚取り出されて搬送され、その用紙上に画像がプリントされる。プリント後の用紙は、排紙トレイ１３０上に送り出される。
【００２５】
この複合機１００の右サイドには、本体筐体１１０に対し開閉自在な扉１４０が備えられている。この扉１４０は、本体筐体１１０に設けられている開口（不図示）を開閉する扉であって、本発明にいう開閉筐体の一例に相当する。これらの扉１４０は、各扉４０の下側が本体筐体１１０にヒンジ接続され、図示のように、扉１４０の上側が下方に向かって開く扉である。
【００２６】
用紙トレイ１２０から送り出された用紙がこの複合機１００内の用紙搬送路の途中で引っ掛かり、正常な用紙搬送、正常なプリント出力が不能となる、いわゆるジャムが発生することがある。このジャムが発生すると、複合機１００内の可動部がその動作を停止する。扉１４０は、このジャムが発生したときに開かれ、途中に引っ掛かっている用紙がユーザによって取り除かれる。この複合機１００には、扉１４０が閉じられたことを検出する開閉スイッチ（後述する）が備えられている。そして、この複合機１００は、その引っ掛かっていた用紙が取り除かれて扉１４０が閉じられたことが検出されると、動作を再開する。
【００２７】
この複合機１００は、ジャムが発生していなくても、扉１４０が開くと動作を停止する。扉１４０が開かれると、本体筐体１１０内に手や道具などを差し込むことができる状態となる。本体筐体１１０内には機械的に動作する各種の部材が備えられているため、動作を停止しないまま手や道具などが誤って差し込まれると、思わぬ怪我や部品の破損を引き起こすおそれがある。このため、この複合機１００は、扉１４０が開かれると動作を停止する構造となっている。扉１４０が不用意には開かないようにするため、この複合機１００にはロック機構（後述する）が備えられている。
【００２８】
ここで、扉１４０を閉じるにあたり、扉が閉じられたことが検出されたときには確実にロックされた状態にあることが重要である。扉１４０が閉じられたことが開閉スイッチにより検出されても未だロックされていない状態が発生すると、複合機１００の稼働中に扉１４０が不用意に開いてしまうという事態が発生するおそれがあるからである。
【００２９】
以下では、この複合機１００に備えられている、扉１４０が閉じられたことが開閉スイッチで検出されたことをもって扉１４０がロックされたことが保証される筐体構造について説明する。
【００３０】
図２は、ロック部材の斜視図である。
【００３１】
このロック部材１０は、複合機１００に備えられている、扉１４０の開閉検出およびロック機構を構成しているのうちの、扉１４０に備えられている部材である。このロック部材１０は、扉１４０の上部に配置されていて、矢印Ｆ−Ｒ方向に延びるロッド１１を備えている。この矢印Ｆ−Ｒ方向は、図１の紙面に垂直な、複合機１００の奥行方向に相当する。
【００３２】
このロッド１１のフロント側（矢印Ｆ側）には、ロッド１１に固定されたフロント側係止部材１２が備えられていて、リア側（矢印Ｒ側）には、同じくロッド１１に固定されたリア側係止部材１３が備えられている。そしてさらに、リア側係止部材１３寄りの位置に、これも同じくロッド１１に固定されたロック解除部材１４が備えられている。そして、これらフロント側係止部材１２、リア側係止部材１３、およびロック解除部材１４は、ロッド１１とともに、予め定められた回転範囲内で矢印Ｄ−Ｕの方向に回転可能となっている。
【００３３】
フロント側係止部材１２およびリア側係止部材１３は、本体筐体１１０内に向かって突き出た鉤部１２１，１３１を備えている。また、フロント側係止部材１２は、さらに、本体筐体１１０に向かって突き出た突出部１２２を有する。そして、このロック部材１０は、コイルバネ１５により矢印Ｕの向きに付勢されていて、鉤部１２１、１３１が図示のように上方に持ち上げられた姿勢となっている。
【００３４】
図３および図４は、フロント側係止部材、係止受部材、および開閉スイッチを示した、それぞれ斜視図および側面図である。
【００３５】
フロント側係止部材１２の鉤部１２１は、突き出た途中位置において上方に開いた凹部１２１ａを有し、さらにその先端側に、先端に向かって下り斜面に形成された干渉部１２１ｂを有する。
【００３６】
係止受部材２１は、本体筐体側に備えられている、フロント側係止部材１２の鉤部１２１の係止を受ける棒状の部材である。また、開閉スイッチ２２は、本体筐体側に備えられていて、突出部１２２に押されて扉１４０が閉じたことを検出するスイッチである。
【００３７】
ここで、本体筐体１１０側の係止受部材２１は、本発明にいう第１係止部の一例に相当し、扉１４０側のフロント側係止部材１２は、本発明にいう第２係止部の一例に相当する。また、フロント側係止部材１２の鉤部１２１が本発明にいう鉤部の一例に相当し、突出部１２２が本発明にいう切換部の一例に相当する。さらに、本体筐体１１０側の開閉スイッチ２２は、本発明にいうスイッチの一例に相当する。
【００３８】
以下では、扉を閉じるときの各部の動きについて説明する。
【００３９】
図５〜図１０は、扉が開いている状態から閉じるまでの各段階の状態を示した図である。
【００４０】
図５は、扉１４０が開いていて、扉１４０側の部材と本体筐体１１側の部材が未干渉の状態を示している。
【００４１】
また、図６は、図５と比べ扉１４０が少し閉じられてきて、鉤部１２１の斜面１２１ｂが係止受部材２１に接した状態を示している。
【００４２】
この図６の段階では、突出部１２２は開閉スイッチ２２の弾性レバー２２１から十分に離れた位置にある。
【００４３】
図７は、図６と比べ扉１４０がさらに閉じられてきて鉤部１２１の干渉部１２１ｂが係止受部材２１に押され、フロント側係止部材１２が矢印Ｄの向きに少し回転を開始した状態を示している。この矢印Ｄで示す向きは、本発明にいう第１の向きの一例に相当する。
【００４４】
図８は、図７と比べ扉１４０がさらに閉じられてきて、鉤部１２１の、干渉部１２１ｂと凹部１２１ａとの境界の頂部１２１ｃが係止受部材２１に接した状態を示している。
【００４５】
扉１４０を閉じる向きに移動させると、突出部１２２は開閉スイッチ２２に近づく向きに移動するが、その一方で、鉤部１２１の干渉部１２１ｂが係止受部材２１に干渉してフロント側係止部材１２が矢印Ｄの向きに回転すると、突出部１２２は、開閉スイッチ２２から離れる向きに回転する。このため、図８に示した状態においても、突出部１２２は、開閉スイッチ２２の弾性レバー２２１から十分に離れた位置にある。
【００４６】
図９は、図８と比べ扉１４０がさらに閉じられてきて、鉤部１２１の干渉部１２１ｂと係止受部材２１との干渉が解除され、フロント側係止部材１２が矢印Ｕの向きに回転を開始した状態を示している。この矢印Ｕで示す向きは、本発明にいう第２の向きの一例に相当する。
【００４７】
この図９に示した段階で、突出１２２と開閉スイッチ２２の弾性レバー２２１との干渉が始まるが、開閉スイッチ２２の切換えまでには未だ十分な余裕がある。
【００４８】
なお、この図９および次の図１０では、突出部１２２が開閉スイッチ２２の弾性レバー２２１を突き抜けているように示されているが、これは干渉前の形状をそのまま図示しているからであって、実際は、開閉スイッチ２２の弾性レバー２２１が突出部１２１に押されて弾性変形する。
【００４９】
図１０は、フロント側係止部材１２が図９に示した状態から矢印Ｕの向きにさらに回転して扉１４０が完全に閉じられた状態を示している。
【００５０】
扉１４０が閉じられた状態では、係止受部材２２１が鉤部１２１の凹部１２１ａに入り込む。これにより、扉１４０が閉じられた状態にロックされる。
【００５１】
開閉スイッチ２２は、このロックの最終段階になって始めて切り換えられ、扉１４０が閉じられたことが検出される。
【００５２】
上記の通り、本実施形態の場合、フロント側係止部材１２が鉤部１２１と突出部１２２を有し、これらが一体に回転する構造を有する。本実施形態の場合、この構造により、扉１４０が閉じられたことが開閉スイッチ２２により検出されたことをもって、扉１４０がロックされたことが保証される。
【００５３】
なお、リア側係止部材１３も、フロント側係止部材１２とともに回転する。すなわち、扉１４０が閉じられるときに係止受部材２１との干渉によりフロント側係止部材１２が矢印Ｄの向きに回転するとリア側係止部材１３も同じ向きに回転し、さらに閉じられてフロント側係止部材１２が矢印Ｕの向きに回転するとリア側係止部材１３も同じ向きに回転し、フロント側係止部材１２の凹部１２１ａに係止受部部材２１が入り込むと、本体筐体１１０のリア側に備えられた、不図示のもう１つの係止受部材がリア側係止部材１３の凹部１３１ａに入り込む。これにより、扉１４０は、フロント側とリア側との２か所でロックされる。
【００５４】
図１１は、ロック解除部材の断面図である。
【００５５】
このロック部材１４は、ロッド１１に固定されており、操作部１４１に指を掛けて矢印Ｓの向きに引くとロック部材１０の全体が矢印Ｄの向きに回転し、扉１４０のロック（図１０に示す係止受部材２１が鉤部１２１の凹部１２１ａに入り込んでいることによるロック）が外れる。そして、その操作部１４１を矢印Ｓの向きにさらに引くと、扉１４０が開く。
【００５６】
なお、ここでは、本体筐体１１０が本発明にいう第１筐体の一例であって、扉１４０が本発明にいう第２筐体の一例に相当する構成について説明した。すなわち、ここでは、本体筐体１１０に、本発明にいう第１係止部の一例である係止受部材２１を備え、扉１４０に、本発明にいう第２係止部の一例であるフロント側係止部材１２を備えた構成について説明した。ただし、これとは逆に、本体筐体１１０に、フロント側係止部材１２に相当する、本発明にいう第２係止部の一例を備え、扉１４０に、係止受部材２１に相当する、本発明にいう第１係止部の一例を備えてもよい。
【００５７】
また、ここでは、本体筐体１１０側に開閉スイッチ２２を備え、その開閉スイッチ２２を切り換える突出部１２２をフロント側係止部材１２に設けた構成について説明したが、これも逆であってもよい。すなわち、フロント側係止部材１２に開閉スイッチ２２を備え、本体筐体１１０に、その開閉スイッチ２２を切り換える突出部１２２を設けてもよい。
【００５８】
また、ここでは、開閉スイッチ２２として、機械的に切り換えらえるリミットスイッチを採用しているが、例えば光電式のスイッチなどであってもよく、オンオフを検出するスイッチであればよい。
【００５９】
さらに、ここでは、本発明を、下部にヒンジを持ち上部が下向きに開くタイプの扉１４０に適用した例について説明したが、例えば横開きの扉、スライド式の扉など、本発明は、本体筐体の開口を覆う様々な形態の扉に適用することができる。
【００６０】
さらには、本発明にいう開閉筐体は、必ずしも扉である必要はない。例えば、不要なときは本体筐体に沿うように閉じておき、必要時に開いて、荷物を置く台、あるいは人が乗る台として使用されるものなどであってもよく、本発明にいう開閉筐体は、本体筐体に対し開閉する部材であればよい。
【００６１】
さらに、ここでは、本発明を複合機１００に適用した例について説明したが、本発明は複合機以外の画像形成装置にも適用することができる。また、本発明の筐体構造は、画像形成装置に限らず、様々な装置に広く適用することができる。
【符号の説明】
【００６２】
１０    ロック部材
１１    ロッド
１２    フロント側係止部材
１２１  鉤部
１２１ａ  凹部
１２１ｂ  干渉部
１２１ｃ  頂部
１２２  突出部
１３    リア側係止部材
１３１  鉤部
１３１ａ  凹部
１４    ロック解除部材
１４１  操作部
１５    コイルバネ
２１    係止受部材
２２    開閉スイッチ
２２１  弾性レバー
１００  複合機
１１０  本体筐体
１４０  扉
【図１】
2020034855.tif 000003
【図２】
2020034855.tif 000004
【図３】
2020034855.tif 000005
【図４】
2020034855.tif 000006
【図５】
2020034855.tif 000007
【図６】
2020034855.tif 000008
【図７】
2020034855.tif 000009
【図８】
2020034855.tif 000010
【図９】
2020034855.tif 000011
【図１０】
2020034855.tif 000012
【図１１】
2020034855.tif 000013